(57)【要約】【課題】電子ビューファインダーの小型化および光学性能の向上を実現可能な撮像装置を提供すること。【解決手段】撮像装置は、電子ビューファインダーユニットを有する撮像装置であって、電子ビューファインダーユニットは、画像を表示する表示手段と、固定部材と、固定部材に固定されているガイド部材と、固定部材に対してガイド部材に沿って相対移動可能な移動部材と、を備え、移動部材は、ガイド部材が貫通するガイド穴が設けられた張出部を備え、ガイド穴は、表示手段の電子ビューファインダーユニットの光軸に平行な方向の投影面内に配置されている。【選択図】図１０
2019191358.tif 000002
【特許請求の範囲】
【請求項１】
電子ビューファインダーユニットを有する撮像装置であって、
前記電子ビューファインダーユニットは、画像を表示する表示手段と、固定部材と、前記固定部材に固定されているガイド部材と、前記固定部材に対して前記ガイド部材に沿って相対移動可能な移動部材と、を備え、
前記移動部材は、前記ガイド部材が貫通するガイド穴が設けられた張出部を備え、
前記ガイド穴は、前記表示手段の前記電子ビューファインダーユニットの光軸に平行な方向の投影面内に配置されていることを特徴とする撮像装置。
【請求項２】
前記表示手段を保持する保持部材を更に有し、
前記ガイド部材は、前記固定部材と前記保持部材により両持ちで固定支持されていることを特徴とする請求項１に記載の撮像装置。
【請求項３】
前記移動部材の前記張出部を含む前記光軸に直交する外周部には、前記固定部材との隙間を密閉するとともに、前記固定部材に対して摺動する弾性部材が設けられ、
前記ガイド穴は、前記弾性部材の内側に設けられていることを特徴とする請求項１または２に記載の撮像装置。
【請求項４】
前記移動部材の外側に設けられ、前記固定部材に対して相対移動可能な第１部材と、
前記移動部材の内側に設けられ、前記固定部材に対して相対移動可能な第２部材と、を更に有することを特徴とする請求項１から３のいずれか１項に記載の撮像装置。
【請求項５】
前記移動部材および前記第１部材は、スナップフィット結合により、一体的に動作可能であることを特徴とする請求項４に記載の撮像装置。
【請求項６】
前記移動部材の光軸方向における位置を規制する規制機構を更に有することを特徴とする請求項１から５のいずれか１項に記載の撮像装置。
【請求項７】
前記規制機構は、ボールと、前記ボールが嵌め込まれるボール溝と、前記ボール溝に嵌め込まれた状態の前記ボールを前記光軸に直交する方向へ付勢する板バネと、を備えることを特徴とする請求項６に記載の撮像装置。
【請求項８】
前記移動部材は、視度調整するための視度調整部材を備えることを特徴とする請求項１から７のいずれか１項に記載の撮像装置。
【発明の詳細な説明】
【技術分野】
【０００１】
本発明は、電子ビューファインダーを備えるデジタルカメラやデジタルビデオカメラ等の撮像装置に関する。
【背景技術】
【０００２】
従来、小型化を図るために、電子ビューファインダーを本体に沿わせて収納可能にする撮像装置が知られている。特許文献１には、本体に沿わせて収納されている電子ビューファインダーを手前に引き出して使用可能とする機構が開示されている。
【先行技術文献】
【特許文献】
【０００３】
【特許文献１】特許第３６７７９９１号
【発明の概要】
【発明が解決しようとする課題】
【０００４】
しかしながら、特許文献１の機構を採用することで、電子ビューファインダーが光軸方向および外形方向へ大型化してしまうため、デジタルカメラの本体サイズが大きくなってしまう。
【０００５】
本発明は、電子ビューファインダーの小型化および光学性能の向上を実現可能な撮像装置を提供することを目的とする。
【課題を解決するための手段】
【０００６】
本発明の一側面としての撮像装置は、撮像装置は、電子ビューファインダーユニットを有する撮像装置であって、前記電子ビューファインダーユニットは、画像を表示する表示手段と、固定部材と、前記固定部材に固定されているガイド部材と、前記固定部材に対して前記ガイド部材に沿って相対移動可能な移動部材と、を備え、前記移動部材は、前記ガイド部材が貫通するガイド穴が設けられた張出部を備え、前記ガイド穴は、前記表示手段の前記電子ビューファインダーユニットの光軸に平行な方向の投影面内に配置されていることを特徴とする。
【発明の効果】
【０００７】
本発明によれば、電子ビューファインダーの小型化および光学性能の向上を実現可能な撮像装置を提供することができる。
【図面の簡単な説明】
【０００８】
【図１】電子ビューファインダーポップアップユニットが本体に収納されている状態のデジタルカメラを正面側から見た斜視図である。
【図２】電子ビューファインダーポップアップユニットが本体から突出し、電子ビューファインダーユニットが使用不能である状態のデジタルカメラを正面側から見た斜視図である。
【図３】電子ビューファインダーポップアップユニットが本体から突出し、電子ビューファインダーユニットが使用可能である状態のデジタルカメラを正面側から見た斜視図である。
【図４】接眼ラバー部が電子ビューファインダーポップアップユニットに収納されている状態の電子ビューファインダーユニットの斜視図である。
【図５】接眼ラバー部が電子ビューファインダーポップアップユニットから引き出されている状態の電子ビューファインダーユニットの斜視図である。
【図６】電子ビューファインダーユニットの分解斜視図である。
【図７】接眼ラバー部が電子ビューファインダーポップアップユニットに収納されている状態の電子ビューファインダーユニットの中央断面図である。
【図８】接眼ラバー部が電子ビューファインダーポップアップユニットから引き出されている状態の電子ビューファインダーユニットの中央断面図である。
【図９】接眼ラバー部が電子ビューファインダーポップアップユニットに収納されている状態の電子ビューファインダーユニットのガイドバーを通る面の断面図である。
【図１０】接眼ガラス、ガイドバーおよび表示パネルを本体側から見た図である。
【図１１】接眼ラバー部が電子ビューファインダーポップアップユニットに収納されている状態の電子ビューファインダーユニットのボールを通る面の断面図である。
【発明を実施するための形態】
【０００９】
以下、本発明の実施形態について、図面を参照しながら詳細に説明する。各図において、同一の部材については同一の参照番号を付し、重複する説明は省略する。
【００１０】
まず、図１から図３を参照して、電子ビューファインダーポップアップユニットの構成について説明する。図１から図３は、本発明の実施形態に係る撮像装置の一例であるデジタルカメラ１０を正面側（被写体側）から見た斜視図である。
【００１１】
デジタルカメラ１０は、ストロボユニット１１、電子ビューファインダーユニット１４を内包している電子ビューファインダーポップアップユニット１２、およびレンズ鏡筒ユニット１３を有する。以下の説明では、レンズ鏡筒ユニット１３の光軸方向（デジタルカメラ１０の前後方向）Ｚにおいて、レンズ鏡筒ユニット１３に対して被写体側を前方と、デジタルカメラ１０の本体側を後方とする。
【００１２】
電子ビューファインダーポップアップユニット１２は、通常、図１に示されるように、デジタルカメラ１０の本体に収納されている。電子ビューファインダーポップアップユニット１２を本体に収納する構成にすることで、フラットな外観面で構成された小型のデジタルカメラ１０を提供することが可能となる。
【００１３】
電子ビューファインダーユニット１４を使用する場合、まず、図２に示されるように、電子ビューファインダーポップアップユニット１２を本体から上部に突出させる。次に、電子ビューファインダーユニット１４の外観に露出している接眼ラバー部（第１部材）１６をデジタルカメラ１０の後方側に引き出す。これにより、図３に示されるように、電子ビューファインダーユニット１４が使用可能な状態となる。図３の状態において、使用者は、後述する視度調整レバー１７により視度を合わせることで、電子ビューファインダーユニット１４の内部に設けられた後述する表示パネル３６に表示される画像をぼやけることなく確認することができる。
【００１４】
電子ビューファインダーユニット１４を使用する場合に、デジタルカメラ１０を図１の状態から図２の状態を経て図３の状態とする構成とすることで、デジタルカメラ１０を小型化可能である。
【００１５】
次に、図４から図１１を参照して、電子ビューファインダーユニット１４の構成について説明する。図４は、接眼ラバー部１６が電子ビューファインダーポップアップユニット１２に収納されている状態の電子ビューファインダーユニット１４の斜視図である。図５は、接眼ラバー部１６が電子ビューファインダーポップアップユニット１２から引き出されている状態の電子ビューファインダーユニット１４の斜視図である。図６は、電子ビューファインダーユニット１４の分解斜視図である。図７は、接眼ラバー部１６が電子ビューファインダーポップアップユニット１２に収納されている状態の電子ビューファインダーユニット１４の中央断面図である。図８は、接眼ラバー部１６が電子ビューファインダーポップアップユニット１２から引き出されている状態の電子ビューファインダーユニット１４の中央断面図である。図９は、接眼ラバー部１６が電子ビューファインダーポップアップユニット１２に収納されている状態の電子ビューファインダーユニット１４のガイドバー２６を通る面の断面図である。図１０は、接眼ガラス１５、ガイドバー２６および表示パネル３６を後方から見た図である。図１１は、接眼ラバー部１６が電子ビューファインダーポップアップユニット１２に収納されている状態の電子ビューファインダーユニット１４のボール３０を通る面の断面図である。
【００１６】
視度調整レバー（視度調整部材）１７は、電子ビューファインダーユニット１４の上面側に設けられ、使用者の視力に合わせて電子ビューファインダーユニット１４の視度を調整可能な操作部材である。使用者は、電子ビューファインダーユニット１４が、図５に示されるように、電子ビューファインダーポップアップユニット１２から引き出され、使用可能状態となっている場合に、視度調整レバー１７を操作することが可能となる。このような構成とすることで、意図しない視度の設定変更を抑制することが可能となる。
【００１７】
本実施形態では、電子ビューファインダーユニット１４は、接眼ラバー部１６が電子ビューファインダーポップアップユニット１２から引き出された場合、固定部材２５に対して、相対移動可能な３つの部材を有する。３つの部材は、接眼ラバー部１６と、接眼ラバー部１６の内側に配置され、スナップフィット結合で接眼ラバー部１６に係合している移動部材３２と、移動部材３２の内側に配置され、移動部材３２とキー嵌合しているレンズホルダー２３（第２部材）である。移動部材３２は、接眼ラバー部１６にスナップフィット結合により係合しているため、接眼ラバー部１６が電子ビューファインダーポップアップユニット１２から引き出された場合、接眼ラバー部１６と一体的に動作可能である。スイッチ２４は、固定部材２５に固定され、接眼ラバー部１６が電子ビューファインダーポップアップユニット１２に収納されている状態であるか、電子ビューファインダーポップアップユニット１２から引き出されている状態であるかを検出する。また、視度調整レバー１７を操作することで、レンズホルダー２３は、移動部材３２に対して、光軸方向Ｚへ移動可能である。
【００１８】
レンズホルダー２３は、レンズカバー１９と係合し、第１のレンズ２２、マスク２１および第２のレンズ２０を保持する。レンズホルダー２３には、カムフォロア３７が設けられている。移動部材３２の内側には、レンズホルダー２３を光軸方向Ｚへ直進ガイドするための嵌合溝部が設けられている。また、移動部材３２の上側には、視度調整レバー１７を構成する、レバー２８、Ｏリング２９、およびカム２７が配置されている。ばね１８は、レンズホルダー２３と接眼ラバー部１６との間に設けられ、カムフォロア３７をカム２７に対して付勢する。上述したように、視度調整レバー１７を操作することで、レンズホルダー２３は、移動部材３２に対して、光軸方向Ｚへ移動可能である。
【００１９】
移動部材３２は、張出部４１を有する。張出部４１には、ガイドバー（ガイド部材）２６が貫通するガイド穴４２が形成されている。ガイドバー２６は、固定部材２５と、画像を表示する表示パネル（表示手段）３６を保持するパネルカバー（保持部材）３３との間に配置され、固定部材２５とパネルカバー３３により両持ちで固定支持されている。固定部材２５とパネルカバー３３は、互いに嵌合固定されている。移動部材３２は、固定部材２５に対して、ガイドバー２６に沿って光軸方向Ｚへ相対移動可能である。したがって、移動部材３２を、固定部材２５に対して高精度に移動させることが可能となる。
【００２０】
ガイドバー２６は、図１０に示されるように、電子ビューファインダーユニット１４の光軸に平行な方向の表示パネル３６の投影面より内側に配置されている。言い換えると、ガイドバー２６が貫通するガイド穴４２は、電子ビューファインダーユニット１４の光軸に平行な方向の表示パネル３６の投影面内に配置されている。このような構成は、ガイドバー２６を表示パネル３６の投影面より外側に配置する場合に比べて、表示パネル３６の外周に配置する部材の厚みを少なくすることができる。そのため、電子ビューファインダーユニット１４を小型化することが可能となる。
【００２１】
張出部４１を含む光軸方向Ｚに直交する外周部には、固定部材２５と移動部材３２の隙間を密閉し、固定部材２５に対して摺動するシリコーンゴム（弾性部材）３８が全周配置されている。ガイド穴４２は、シリコーンゴム３８の内側、すなわち、光軸に垂直な方向において光軸中心側に設けられている。
【００２２】
固定部材２５には、ボール穴３９が設けられている。移動部材３２には、ボール溝４０Ａ、４０Ｂが設けられている。ボール溝４０Ｂは、光軸方向Ｚにおいて、ボール溝４０Ａより前方に設けられている。接眼ラバー部１６が電子ビューファインダーポップアップユニット１２に収納されている場合、ボール３０は、ボール穴３９とボール溝４０Ａに嵌め込まれている。板バネ３１がこの状態のボール３０を光軸方向Ｚに直交する方向へ付勢することで、移動部材３２の光軸方向Ｚにおける位置が規制される。接眼ラバー部１６が電子ビューファインダーポップアップユニット１２から引き出されている場合、ボール３０は、ボール穴３９とボール溝４０Ｂに嵌め込まれている。板バネ３１がこの状態のボール３０を光軸方向Ｚに直交する方向へ付勢することで、移動部材３２の光軸方向Ｚにおける位置が規制される。このように、本実施形態では、移動部材３２の光軸方向Ｚにおける位置は、ボール３０、板バネ３１、ボール穴３９およびボール溝４０Ａ、４０Ｂにより構成される規制機構によって規制される。
【００２３】
接眼ラバー部１６およびパネルカバー３３には、表示パネル３６に表示された画像を覗くための開口部が設けられている。接眼ラバー部１６の開口部には、ゴミが外部から侵入し、レンズ等に付着して見えが悪くなることを防ぐために、透明の接眼ガラス１５が固定されている。パネルカバー３３の開口部には、外部から侵入したゴミが表示パネル３６の表面に付着することを防ぐために、防塵ガラス３５が固定されている。このように電子ビューファインダーユニット１４を構成することで、表示パネル３６から接眼ガラス１５までの間にゴミが入らないように密閉することが可能となる。また、パネルカバー３３には、通気用の開口部が設けられている。開口部は、使用者による接眼ラバー部１６の収納操作または引き出し操作によって密閉空間の圧力が急激に変化して微小な隙間からゴミ等を含む空気が出入りしないように、１μｍより小さい微小なゴミしか通さない通気シート３４で覆われている。通気シート３４には、通気孔が形成されており、密閉空間の圧力の急激な変化を緩和している。
【００２４】
以上説明したように、本実施形態では、電子ビューファインダーの小型化および光学性能の向上を実現可能な撮像装置を提供することができる。
【００２５】
以上、本発明の好ましい実施形態について説明したが、本発明はこれらの実施形態に限定されず、その要旨の範囲内で種々の変形及び変更が可能である。
【符号の説明】
【００２６】
１０  デジタルカメラ
１４  電子ビューファインダーユニット
２５  固定部材
２６  ガイドバー（ガイド部材）
３２  移動部材
３６  表示パネル（表示手段）
４１  張出部
４２  ガイド穴
【図１】
2019191358.tif 000003
【図２】
2019191358.tif 000004
【図３】
2019191358.tif 000005
【図４】
2019191358.tif 000006
【図５】
2019191358.tif 000007
【図６】
2019191358.tif 000008
【図７】
2019191358.tif 000009
【図８】
2019191358.tif 000010
【図９】
2019191358.tif 000011
【図１０】
2019191358.tif 000012
【図１１】
2019191358.tif 000013